(57)【要約】      （修正有）【課題】計量用スプーンを常に乾燥した状態に保つことができる計量用スプーンホルダの提供。【解決手段】計量用スプーンを収容するポケット２２と、ポケット２２の外側の接着部３０と、を有する計量用スプーンホルダ１０を構成し、ポケット２２の内側面を、乾燥剤を含有する吸湿面２８によって形成する。【選択図】図１
0003140865.tif 000002
【実用新案登録請求の範囲】
【請求項１】
計量用スプーンを保持する計量用スプーンホルダであって、
計量用スプーンを収容する収容部と、計量用スプーンホルダを任意の位置に接着可能な接着部と、を有し、
前記収容部において、収容された計量用スプーンの計量部と対向する部位が、乾燥剤を含有する吸湿面によって形成されていることを特徴とする計量用スプーンホルダ。
【請求項２】
前記収容部が、計量用スプーンの計量部又は柄のうちの少なくともいずれか一方を挿入可能なポケットであることを特徴とする請求項１に記載の計量用スプーンホルダ。
【請求項３】
前記収容部の外側に、前記接着部が配置されていることを特徴とする請求項１又は請求項２に記載の計量用スプーンホルダ。
【請求項４】
容器本体と、開閉自在な蓋とを有し、
前記容器本体の内側面又は前記蓋の内側面のいずれか一方に、請求項１から請求項３のうちのいずれかの請求項に記載の計量用スプーンホルダの前記接着部が接着されていることを特徴とする計量用スプーンホルダ付き容器。
【請求項５】
容器本体と、開閉自在な蓋とを有し、
前記容器本体の外側面又は前記蓋の外側面のいずれか一方に、請求項１から請求項３のうちのいずれかの請求項に記載の計量用スプーンホルダの前記接着部が接着されていることを特徴とする計量用スプーンホルダ付き容器。
【考案の詳細な説明】
【技術分野】
【０００１】
計量用スプーンを保持する計量用スプーンホルダ及びこの計量用スプーンホルダを有する容器に関する。
【背景技術】
【０００２】
我々の周囲にある日用品のなかには、粉末体をなすものが数多く存在している。粉末体をなす日用品として、例えば、インスタントコーヒーの粉、粉ミルク、砂糖、塩、小麦粉、洗濯用粉セッケン、洗濯用漂白剤の粉等を挙げることができる。これらの粉末体は湿気を嫌うものが多く、密閉可能な容器内に保存して湿気を防ぐことが多い（例えば、特許文献１を参照）。
【０００３】
人が容器から粉末体を取り出す際、必要量の粉末体を計り取るためにスプーンを使用する。これまで、粉末体の計量を主目的とする様々なスプーンが提唱されている（例えば、特許文献２を参照）。粉末体の計量を主目的とするスプーンが手元にないような場合には、飲食の用に供されることを主目的とするスプーンを代用品として使用することが多い。
以下の説明において、「計量用スプーン」とは、粉末体を計り取ることができるスプーンのことをいい、粉末体や液体の計量を主目的とするスプーンのみならず、飲食の用に供されることを主目的とするスプーンをも含むものとする。
【０００４】
計量用スプーンを使わないときは、計量の対象である粉末体の容器内に計量用スプーンを入れたままにしておくことが多い。粉末体の容器内に計量用スプーンを入れておけば、必要なときに計量用スプーンを探す手間が省かれて、非常に便利である。
【特許文献１】特開平１１−０４３１６３号公報
【特許文献２】特開２００６−３４９６３０号公報
【考案の開示】
【考案が解決しようとする課題】
【０００５】
粉末体のなかには、湯水に溶かして使用するものが数多く存在する。人が粉末体を湯水に溶かそうとする場合、計量用スプーンで粉末体を計り取り、計り取った粉末体をそのまま計量用スプーンから湯水の中に落とし入れることが多い。このとき、湯水がはね飛びやすく、計量用スプーンが濡れてしまうことがある。また、湯から立ち昇る湯気によって計量用スプーンが濡れてしまうこともある。
計量用スプーンが濡れたことに気づかなければ、濡れた計量用スプーンをそのまま粉末体の容器内に戻してしまうことになる。濡れた計量用スプーンをそのまま粉末体の容器内に戻せば、容器内の粉末体が計量用スプーンに付着した水分を吸い取って湿ってしまう。湿った粉末体は計量用スプーンにくっつきやすい。場合によっては、計量用スプーンにくっついた粉末体がそのまま固くこびりついてしまう。
【０００６】
粉末体がくっついた計量用スプーンは、次にその計量用スプーンを使う人に不快感を与えやすい。粉末体が計量用スプーンの計量部にこびりついていると、粉末体の正確な計量が困難になる。
また、湿った粉末体は塊になりやすい。塊になった粉末体を計量用スプーンで正確に計量することは困難である。塊になった粉末体を計量用スプーンで正確に計量するためには、この塊を粉砕して粉末体に戻す等しなければならず、手間がかかり煩雑である。
【０００７】
例えば、インスタントコーヒーの粉を保存している容器内に計量用スプーンが入れたままになっており、上記の理由で計量用スプーンにインスタントコーヒーの粉がくっついているケースを考える。人がこの計量用スプーンを用いてインスタントコーヒーの粉を計り取ってから、そのまま同じ計量用スプーンを用いて砂糖及び粉ミルクを計り取ろうとすると、計量用スプーンにくっついているインスタントコーヒーの粉が、砂糖や粉ミルクの容器内に入ってしまう。
本考案は、上記問題を解決するものであり、その目的とするところは、計量用スプーンを乾燥状態に保つことができるスプーンホルダ及びスプーンホルダ付き容器を提供することである。
【課題を解決するための手段】
【０００８】
本考案は、その課題を解決するために以下のような構成をとる。請求項１の考案に係る計量用スプーンホルダは、計量用スプーンを保持する計量用スプーンであって、計量用スプーンを収容する収容部と、計量用スプーンホルダを任意の位置に接着可能な接着部と、を有し、前記収容部において、収容された計量用スプーンの計量部と対向する部位が、乾燥剤を含有する吸湿面によって形成されている。
【０００９】
例えば、収容部が計量用スプーンの一部又は全部を把持することにより、収容部が計量用スプーンを収容し、計量用スプーンホルダが計量用スプーンを保持する。また、収容部に計量用スプーンの一部又は全部が挿入されることにより、収容部が計量用スプーンを収容し、計量用スプーンホルダが計量用スプーンを保持する。
計量用スプーンの一部とは、例えば、計量用スプーンの柄や計量部である。計量用スプーンの計量部とは、粉末体を計り取る部分のことをいう。粉末体を計り取る部分は窪みであってもよいし、平面であってもよい。計量用スプーンの柄とは、計量用スプーンを手指でつまむために計量部から延長して設けられている部分のことをいう。
【００１０】
収容部に収容された計量用スプーンの計量部は、吸湿面と対向する。吸湿面は乾燥剤を含有しており、周囲から湿気を吸収し、周囲を乾燥した状態に維持する。計量用スプーンの計量部が濡れていたとしても、吸湿面が計量部に付着した水分を吸収してしまう。また、吸湿面は、計量用スプーンの計量部以外の部分に付着している水分を吸収することも可能である。
収容部に計量用スプーンを収容しておけば、人は常に乾燥した状態の計量用スプーンを気持ちよく使うことができる。同時に、計量用スプーンの計量部や柄に湿った粉末体がくっついたりすることが防止され、計量部に粉末体がこびりつくことも防止される。
【００１１】
吸湿面が含有する乾燥剤として、従来ある乾燥剤を用いることができる。乾燥剤として、例えば、シリカゲル、酸化カルシウム、塩化カルシウム、シリカアルミナゲル、あるいはこれらの加工品を挙げることができる。乾燥剤がここに列挙したものに限定されないことは勿論であり、計量用スプーンで計量する粉末体の種類や用途に応じて、適切な乾燥剤を選択することができる。
接着部によって計量用スプーンホルダを任意の場所に接着しておくことができる。すなわち、計量用スプーンを必要とする場所やその近傍に計量用スプーンホルダを取り付けておくことができる。そして、必要なときに必要な場所でいつでも簡単に気持ちよく乾燥した計量用スプーンを使用するこができ、正確に粉末体を計量することができる。
【００１２】
請求項２の考案に係る計量用スプーンホルダは、請求項１に記載の計量用スプーンホルダであって、前記収容部が、計量用スプーンの計量部又は柄のうちの少なくともいずれか一方を挿入可能なポケットである。
収容部のポケットに計量用スプーンの計量部又は柄のうちの少なくともいずれか一方を挿入しておく。計量用スプーンのうちのポケットから外に突出している部分を手指でつまめば、計量用スプーンを計量用スプーンホルダから簡単に取り出すことができる。
【００１３】
請求項３の考案に係る計量用スプーンホルダは、請求項１又は請求項２に記載の計量用スプーンホルダであって、前記収容部の外側に、前記接着部が配置されている。
収容部の外側面に接着部が配置されるので、接着部を介して計量用スプーンホルダを任意の場所に容易に取り付けることができる。
容易に変形可能な材質の基盤と、この基盤上の接着面と、によって、接着部を形成することができる。計量用スプーンホルダを取り付ける被接着面が湾曲等して平面でない場合であっても、接着部は被接着面の形状に応じて変形することができ、接着面は被接着面に密着することができる。したがって、平面でない場所にも計量用スプーンホルダを容易にしっかりと取り付けることができる。
なお、容易に変形可能な材質とは、例えば、ゴム、スポンジ、ウレタン、厚手の布等を挙げることができる。
【００１４】
請求項４の考案に係る計量用スプーンホルダ付き容器は、容器本体と、開閉自在な蓋とを有し、前記容器本体の内側面又は前記蓋の内側面のいずれか一方に、請求項１から請求項３のうちのいずれかの請求項に記載の計量用スプーンホルダの前記接着部が接着されている。
計量用スプーンホルダを容器本体の内側面又は蓋の内側面に取り付けておけば、その容器本体内に入っている粉末体を計量するとき、すぐに乾燥した計量用スプーンを使うことができる。また、計量用スプーンホルダが容器内に位置しているので、計量用スプーンホルダが容器の外に突出することはなく、見た目がきれいである。さらに、蓋が閉まっているときは、計量用スプーンホルダの吸湿面の乾燥剤が容器内を乾燥した状態に保つ。
また、計量用スプーンホルダは、計量用スプーンが容器本体内で粉末体の中に埋没してしまうことを防止する。
【００１５】
請求項５の考案に係る計量用スプーンホルダ付き容器は、容器本体と、開閉自在な蓋とを有し、前記容器本体の外側面又は前記蓋の外側面のいずれかに、請求項１から請求項３のうちのいずれかの請求項に記載の計量用スプーンホルダの前記接着部が接着されている。
計量用スプーンホルダを容器本体の外側面又は蓋の外側面に取り付けておけば、計量用スプーンがどこにあるか一目でわかって便利であり、必要なときにすぐに乾燥した計量用スプーンを使うことができる。
【００１６】
計量用スプーンホルダを折り畳み可能に構成することが可能である。計量用スプーンホルダに計量用スプーンを収容しておく必要がない場合には、計量用スプーンホルダを折り畳んでおく。容器の外側に計量用スプーンホルダが突出することがなくなり、使っていない計量用スプーンホルダが邪魔になることが防止される。
なお、計量用スプーンホルダを折り畳み方として、例えば、従来ある角底の紙袋の折り畳み方を挙げることができる。
【考案の効果】
【００１７】
上記のような計量用スプーンホルダ及び計量用スプーンホルダ付き容器であるので、計量用スプーンを常に乾燥した状態に保つことができる。
【考案を実施するための最良の形態】
【００１８】
本考案を実施するための最良の形態を図１から図４を参照しつつ説明する。
図１は計量用スプーンホルダの斜視図、図２は計量用スプーンホルダの断面図、図３は計量用スプーンの斜視図、図４は、計量用スプーンホルダを取り付けた容器の斜視図である。
図１及び図２に示すように、計量用スプーンホルダ１０は、箱状をなし、周方向を１枚の前面板１２と１枚の背面板１４と２枚の側面板１８とによって取り囲まれ、底を底面板２０によって塞がれており、底と反対側が開放している。
【００１９】
前面板１２、背面板１４、側面板１８、底面板２０によって取り囲まれた袋状の空間がポケット２２を形成し、ポケット２２が収容部をなしている。ポケット２２において、底面板２０と反対側が開放しており、この開放部分が開口部２６をなしている。
ポケット２２は、後述する計量用スプーン４０の計量部４２の外形に対応した形状を有しており、ポケット２２内に計量部４２を収容可能に構成されている。
【００２０】
ポケット２２の内側を向いた前面板１２の面、ポケット２２の内側を向いた背面板１４の面、ポケット２２の内側を向いた側面板１８の面、ポケット２２の内側を向いた底面板２０の面が、それぞれ吸湿面２８をなしている。すなわち、ポケット２２の内側面は吸湿面２８によって形成されている。吸湿面２８には、シリカゲルが埋設されており、吸湿面２８がポケット２２周辺から水分を吸収可能に構成されている。
開口部２６は、計量用スプーン４０の計量部４２に対応する形状を有しており、計量用スプーン４０の計量部４２を開口部２６からポケット２２に抜き挿し自在に構成されている。
【００２１】
背面板１４において、ポケット２２の外側を向いた面１６上には、接着部３０が形成されている。すなわち、接着部３０はポケット２２の外側に形成されている。接着部３０は、基盤３２と接着面３４とを有している。基盤３２は厚手のウレタン製シートであり、基盤３２が面１６上に貼られている。基盤３２上に塗付された接着剤３６が接着面３４を形成している。
背面板１４の一部分が、開口部２６からポケット２２の外側に向かって張り出している。この背面板１４の張り出した部分が、導入部２４を形成している。
【００２２】
図３に示すように、計量用スプーン４０は計量部４２と柄４４を有する。計量部４２は粉末体を計り取り可能な窪みである。柄４４は計量部４２から延長して設けられており、人が手指で簡単にしっかりとつまむことができる大きさと形状を有している。
図４に示すように、容器５０は容器本体５２と蓋５４とを有している。容器本体５２の上方が開放しており、蓋５４は容器本体５２の開放部分に対応した形状を有し、蓋５４は容器本体５２の開放部分を開閉自在に構成されている。蓋５４が閉じた状態で、蓋５４が容器本体５２の開放部分に嵌合して密閉可能に構成されている。容器５０内には、洗濯用粉セッケン（図示せず）が入っている。
【００２３】
蓋５４の内側面５６の中央部分に計量用スプーンホルダ１０が取り付けられている。計量用スプーンホルダ１０の接着面３４が、接着剤３６によって内側面５６上に貼り付いている。
計量用スプーンホルダ１０のポケット２２に、計量用スプーン４０の計量部４２が挿入されており、ポケット２２の中に計量部４２が収容され、保持されている。計量用スプーン４０の柄４４が開口部２６からポケット２２の外側に向かって突出している。
【００２４】
次に、主婦が衣類を選択する場合を例にとって、作用について説明する。
主婦が容器５０の蓋５４をあけると、蓋５４の内側面５６と計量用スプーンホルダ１０に収容された計量用スプーン４０とが、主婦の目の前に現れる。主婦は計量用スプーン４０の柄４４を手指でつまみ、計量用スプーン４０の計量部４２をポケット２２から引き出す。容器５０内において、計量用スプーン４０は洗濯用粉セッケンの中に埋没しておらず、主婦は計量用スプーン４０の柄４４を簡単に手指でつまむことができる。ポケット２２の内側面は吸湿面２８によって形成されているので、ポケット２２内に収容されていた計量用スプーン４０の計量部４２は乾燥しており、主婦は計量用スプーン４０を気持ちよくつまむことができる。
【００２５】
主婦は、手にした計量用スプーン４０を用いて洗濯用粉セッケンを計り取り、計り取った洗濯用粉セッケンを計量用スプーン４０から洗濯機（図示せず）の中に投入する。主婦は、洗濯用粉セッケンを洗濯機に投入し終えたら、計量用スプーン４０の計量部４２をポケット２２に挿し戻し、容器５０の蓋５４を閉める。
計量部４２をポケット２２に挿し戻す際、主婦は、計量部４２の先端をまず導入部２４にあてがい、計量部４２の先端を滑らせて開口部２６からポケット２２内に挿入する。導入部２４はポケット２２内にそのまま連なっているので、計量部４２はポケット２２にスムーズに挿し戻される。
【００２６】
洗濯機の中に湯が入っている場合、湯から立ち昇る湯気や洗濯用粉セッケンを投入したときにはね飛んだ湯によって計量用スプーン４０の計量部４２が濡れる。計量部４２が濡れていることに主婦が気づかなければ、濡れたまま計量部４２はポケット２２に挿し戻され、容器５０の蓋５４が閉められてしまう。
ポケット２２に収容された計量部４２は、その周囲を吸湿面２８によって取り囲まれる。計量部４２についている水分は吸湿面２８に吸収され、計量部４２は乾燥する。したがって、容器５０内の洗濯用粉セッケンが、計量部４２についていた水分を吸って湿ることが防止されており、湿った洗濯用粉セッケンが塊になってしまうことも防止されている。そして、容器５０内の洗濯用粉セッケンは常にさらさらした状態を維持することができる。また、湿った洗濯用粉セッケンが、計量部４２にくっついたりこびりついたりすることも防止されている。
【００２７】
計量用スプーン４０の柄４４に水分がついた場合も同様であり、柄４４についた水分はポケット２２の吸湿面２８に吸収され、柄４４が乾燥する。容器５０内の洗濯用粉セッケンが柄４４についた水分によって湿ることが防止されており、柄４４に洗濯用粉セッケンがくっついたりこびりついたりすることも防止されている。
主婦は、次回洗濯する際にも、乾燥したきれいな計量用スプーン４０を使って洗濯用粉セッケンを気持ちよく正確に計り取ることができる。
【００２８】
計量用スプーン４０が乾燥しているので、計量用スプーン４０の計量部４２に計り取った洗濯用粉セッケンが残らない。したがって、主婦が、同じ計量用スプーン４０を用いて洗濯用漂白剤の粉を計り取ったとしても、計量用スプーン４０を介して洗濯用粉セッケンが洗濯用漂白剤の粉の中に混入することはない。
計量用スプーン４０を使わないときは、計量用スプーンホルダ１０及び計量用スプーン４０は容器５０内に収納されている。計量用スプーン４０をいちいち管理する煩雑さがなくなるとともに、計量用スプーンホルダ１０及び計量用スプーン４０が邪魔になることもない。
【００２９】
なお、本実施の形態においては、計量用スプーンホルダ１０を蓋５４の内側面５６上に計量用スプーンホルダ１０が取り付けられているとしたが、代わりに、計量用スプーンホルダ１０を蓋５４の外側面に取り付けることが可能である。計量用スプーンホルダ１０を容器本体５２の内側面あるいは外側面に取り付けることも可能である。
また、計量用スプーンホルダ１０の接着面３４を接着する被接着面が、湾曲面だったり凹凸を有する面だったりしたとしても、接着部３０の基盤３２が、被接着面の形状に応じて変形し、接着面３４は被接着面に密着する。したがって、計量用スプーンホルダ１０は目的とする場所にしっかりと取り付けられる。
【図面の簡単な説明】
【００３０】
【図１】計量用スプーンホルダの斜視図である。
【図２】計量用スプーンホルダの断面図である。
【図３】計量用スプーンの斜視図である。
【図４】計量用スプーンホルダを取り付けた容器の斜視図である。
【符号の説明】
【００３１】
１０    計量用スプーンホルダ
１２    前面板
１４    背面板
１６    背面板の面
１８    側面板
２０    底面板
２２    ポケット
２４    導入部
２６    開口部
２８    吸湿面
３０    接着部
３２    基盤
３４    接着面
３６    接着剤
４０    計量用スプーン
４２    計量部
４４    柄
５０    容器
５２    容器本体
５４    蓋
５６    蓋の内側面
【図１】
0003140865.tif 000003
【図２】
0003140865.tif 000004
【図３】
0003140865.tif 000005
【図４】
0003140865.tif 000006